【手続補正書】
【提出日】平成18年10月12日(2006.10.12)
【手続補正１】
【補正対象書類名】手続補正書
【補正対象項目名】手続補正６５
【補正方法】変更
【補正の内容】
【手続補正６５】
【補正対象書類名】明細書
【補正対象項目名】０１８３
【補正方法】変更
【補正の内容】
【０１８３】
【図１】本発明の代表的な実施形態を示す紙の孔明け装置の要部を縦方向に切り欠いて概略的に示す全体側面図である。
【図２】同孔明け装置の一部を構成する部品の分離した状態を示す斜視図である。
【図３】同孔明け装置の背面図である。
【図４】同昇降体の要部を縦方向に切り欠いて示す要部縦断面図である。
【図５】図４のＶ−Ｖ線の矢視断面図である。
【図６】同穿孔刃支持体の要部を縦方向に切り欠いて示す要部縦断面図である。
【図７】同穿孔刃支持体の平面図である。
【図８】同穿孔刃支持体の裏面図である。
【図９】同刃受板の自動回転機構の要部を横方向に切り欠いて内部構造を概略的に示す要部横断面図である。
【図１０】同屑収集容器の側面図である。
【図１１】同平面図である。
【図１２】同紙当て部材を概略的に示す横断面図である。
【図１３】同紙当て部材の起立した状態を概略的に示す要部縦断面図である。
【図１４】同紙当て部材の倒伏した状態を概略的に示す要部縦断面図である。
【図１５】同穿孔刃支持体の変形例を示す上部平面図である。
【図１６】図１５のＸＶＩＩＩ−ＸＶＩＩＩ線の矢視断面図である。
【図１７】図１５のＩＸ−ＩＸ線の矢視断面図である。
【図１８】同穿孔刃支持体の下面からみた下部平面図である。
【図１９】同穿孔刃支持体の他の変形例を示す要部縦断面図である。
【図２０】同孔明け装置の変形例を示す説明図である。
【手続補正２】
【補正対象書類名】手続補正書
【補正対象項目名】手続補正６７
【補正方法】変更
【補正の内容】
【手続補正６７】
【補正対象書類名】図面
【補正対象項目名】図１５
【補正方法】変更
【補正の内容】
【図１５】
2005081446.tif 000001
【手続補正３】
【補正対象書類名】手続補正書
【補正対象項目名】手続補正６８
【補正方法】追加
【補正の内容】
【手続補正６８】
【補正対象書類名】図面
【補正対象項目名】図１６
【補正方法】変更
【補正の内容】
【図１６】
2005081446.tif 000002
【手続補正４】
【補正対象書類名】手続補正書
【補正対象項目名】手続補正６９
【補正方法】追加
【補正の内容】
【手続補正６９】
【補正対象書類名】図面
【補正対象項目名】図１７
【補正方法】変更
【補正の内容】
【図１７】
2005081446.tif 000003
【手続補正５】
【補正対象書類名】手続補正書
【補正対象項目名】手続補正７０
【補正方法】追加
【補正の内容】
【手続補正７０】
【補正対象書類名】図面
【補正対象項目名】図１８
【補正方法】変更
【補正の内容】
【図１８】
2005081446.tif 000004
【手続補正６】
【補正対象書類名】手続補正書
【補正対象項目名】手続補正７１
【補正方法】追加
【補正の内容】
【手続補正７１】
【補正対象書類名】図面
【補正対象項目名】図１９
【補正方法】変更
【補正の内容】
【図１９】
2005081446.tif 000005
【手続補正７】
【補正対象書類名】手続補正書
【補正対象項目名】手続補正７２
【補正方法】追加
【補正の内容】
【手続補正７２】
【補正対象書類名】図面
【補正対象項目名】図２０
【補正方法】変更
【補正の内容】
【図２０】
2005081446.tif 000006
【手続補正８】
【補正対象書類名】手続補正書
【補正対象項目名】手続補正７３
【補正方法】追加
【補正の内容】
【手続補正７３】
【補正対象書類名】図面
【補正対象項目名】図２１
【補正方法】削除
【補正の内容】
【手続補正９】
【補正対象書類名】手続補正書
【補正対象項目名】手続補正７４
【補正方法】追加
【補正の内容】
【手続補正７４】
【補正対象書類名】図面
【補正対象項目名】図２２
【補正方法】削除
【補正の内容】
【手続補正１０】
【補正対象書類名】手続補正書
【補正対象項目名】手続補正６３
【補正方法】変更
【補正の内容】
【手続補正６３】
【補正対象書類名】明細書
【補正対象項目名】０１６５
【補正方法】変更
【補正の内容】
【０１６５】
次に、図１５〜図１８を参照しながら、本実施形態に好適な穿孔刃支持体の変形例を説明する。図１５は同穿孔刃支持体の上面からみた外郭形態を、図１６及び図１７は同穿孔刃支持体の内部構造例を、図１８は同穿孔刃支持体の下面からみた外郭形態をそれぞれ概略的に示している。図１６は図１５のＸＶＩＩＩ−ＸＶＩＩＩ線の矢視断面図であり、図１７は図１５のＩＸ−ＩＸ線の矢視断面図である。なお、これらの図において上記穿孔刃支持体の実施形態と実質的に同じ部材には同一の部材名と符号とを付している。
【手続補正１１】
【補正対象書類名】手続補正書
【補正対象項目名】手続補正７５
【補正方法】追加
【補正の内容】
【手続補正７５】
【補正対象書類名】明細書
【補正対象項目名】０１６７
【補正方法】変更
【補正の内容】
【０１６７】
この穿孔刃支持体３１の左右壁部には、図１５に示すように前記基台１１に挿脱するためのフランジ３１ａ，３１ａが形成されている。前記穿孔刃支持体３１の内部には、図１６に示すように前記穿孔刃３０の基端部３０ａを下方から差し込んで嵌着支持するための差込開口を有する円筒状の穿孔刃支持部３２が形成されるとともに、基台１１の上記係着孔部１１ｄ（図６）に対応する位置に矩形筒状の構造をもつ挿脱空間部３３が形成されている。
【手続補正１２】
【補正対象書類名】手続補正書
【補正対象項目名】手続補正７６
【補正方法】追加
【補正の内容】
【手続補正７６】
【補正対象書類名】明細書
【補正対象項目名】０１６９
【補正方法】変更
【補正の内容】
【０１６９】
前記脱着空間部３３内には、図１６に示すように挿脱操作部を構成する揺動部材３７が、その中間部分を回動中心として水平軸線周りに回動自在に固定支持されている。同揺動部材３７の揺動端側には、係脱部である係脱部材３８が配されるとともに、その揺動支点側には挿脱操作部である左右一対の操作部材３９が配されている。
【手続補正１３】
【補正対象書類名】手続補正書
【補正対象項目名】手続補正７７
【補正方法】追加
【補正の内容】
【手続補正７７】
【補正対象書類名】明細書
【補正対象項目名】０１７０
【補正方法】変更
【補正の内容】
【０１７０】
前記係脱部材３８は、図１６に示すように圧縮バネ３８ａと同圧縮バネ３８ａを介装した大径の円筒状本体３８ｂと小径の係止突起３８ｃとにより構成されている。その円筒状本体３８ｂが、前記抜止め部材３４ａの揺動端と前記揺動部材３７の揺動端との間で弾性的に当接して支持されている。前記係脱部材３８は前記脱着空間部３３に常に下方に向けて弾性的に支持されるとともに、前記抜止め部材３４ａの垂直部分は前記穿孔刃３０の基端部３０ａに向けて常に弾接されている。
【手続補正１４】
【補正対象書類名】手続補正書
【補正対象項目名】手続補正７８
【補正方法】追加
【補正の内容】
【手続補正７８】
【補正対象書類名】明細書
【補正対象項目名】０１７１
【補正方法】変更
【補正の内容】
【０１７１】
前記操作部材３９は、図１７及び図１８に示すように、図示せぬ圧縮バネを介して穿孔刃支持体３１の前記脱着空間部３３に対応する左右側壁部に進退自在に配されている。各操作部材３９は左右ともに同様の構造からなる。各操作部材３９には、フック片３９ａと、同フック片３９ａに直交して隣接され、下面に先端に向けて上傾斜する斜面をもつ突片３９ｂとがそれぞれ突設されている。前記フック片３９ａの先端係合面は前記圧縮バネのばね力に抗して穿孔刃支持体３１の側壁部の内面に常に弾性的に支持されている。
【手続補正１５】
【補正対象書類名】手続補正書
【補正対象項目名】手続補正７９
【補正方法】追加
【補正の内容】
【手続補正７９】
【補正対象書類名】明細書
【補正対象項目名】０１７２
【補正方法】変更
【補正の内容】
【０１７２】
前記揺動部材３７は、図１６及び図１８に示すように、その本体の揺動方向に延設され、前記係脱部材３８の係止突起３８ｃに弾性的に嵌入係着される二股状差入部３７ａと、その本体の揺動支点側の上端面に前記操作部材３９における突片３９ｂの斜面に当接して案内される矩形板状の操作片３７ｂとを有している。
【手続補正１６】
【補正対象書類名】手続補正書
【補正対象項目名】手続補正８０
【補正方法】追加
【補正の内容】
【手続補正８０】
【補正対象書類名】明細書
【補正対象項目名】０１７６
【補正方法】変更
【補正の内容】
【０１７６】
図１９を参照すると、本発明に好適な穿孔刃支持体の他の変形例が示されている。図１９は同穿孔刃支持体の要部を縦方向に切り欠いて示している。なお、同図において上記穿孔刃支持体の実施形態と実質的に同じ部材には同一の部材名と符号とを付している。
【手続補正１７】
【補正対象書類名】手続補正書
【補正対象項目名】手続補正８１
【補正方法】追加
【補正の内容】
【手続補正８１】
【補正対象書類名】明細書
【補正対象項目名】０１７７
【補正方法】変更
【補正の内容】
【０１７７】
同図において、図６に示す穿孔刃支持体３１と異なるところは、図９に示す押さえ板バネ３４及び図１６に示す抜止め部材３４ａに代えて、前記揺動部材３５における係脱部材３５ｂの揺動先端面に弾接片３４ｂが上方に向けて延設されていることである。同弾接片３４ｂの自由端は前記穿孔刃３０の基端部３０ａに弾性的に当接して支持するようになっている。
【手続補正１８】
【補正対象書類名】手続補正書
【補正対象項目名】手続補正８２
【補正方法】追加
【補正の内容】
【手続補正８２】
【補正対象書類名】明細書
【補正対象項目名】０１７９
【補正方法】変更
【補正の内容】
【０１７９】
本実施形態では、前記昇降体１４が前記基台１１に向けて接近・離間可能に配された紙の孔明け装置１０を例に挙げて説明したが、本発明はこれに限定されるものではなく、例えば前記昇降体１４を前記支持壁１３に向けて接近・離間可能に配することができる。この構造例として、図２０は紙の孔明け装置の変形例を示している。なお、同図において上記実施形態と実質的に同じ部材には同一の部材名と符号とを付しているため、これらの詳細な説明は省略する。
【手続補正１９】
【補正対象書類名】手続補正書
【補正対象項目名】手続補正８３
【補正方法】追加
【補正の内容】
【手続補正８３】
【補正対象書類名】明細書
【補正対象項目名】０１８０
【補正方法】変更
【補正の内容】
【０１８０】
図２０に示す紙の孔明け装置１０は、前記支持壁１３の基台対向面に向けて接近・離間する昇降体１４に穿孔刃３０を固定支持している。一方、支持壁１３の基台対向面には前記刃受板２０が、前記穿孔刃３０の上端刃先部に対して偏心位置に対向して配されており、垂直軸線周りに回転可能に支持されている。この変形例による紙の孔明け装置１０にあっても、上記刃受板嵌脱機構、上記穿孔刃の脱着機構、上記刃受板自動回転機構、上記屑収集容器、上記紙当て部材を配することができる。